(57)【要約】      （修正有）【課題】東日本大震災で破壊された福島第一原発により広範な地域が放射性物質に汚染され、建築物の除染としてウォータージェットが検討されているが、ウォータージェットは放射性物質をさらに広範囲に拡散させる恐れがあるため、周辺に放射性物質を飛散させない建築物、植物または土壌の除染方法が求められている。【解決手段】建築物、植物又は土壌の除染を行う際に、建築物等の表面に洗浄剤を周囲に飛散させずに吹き付け塗布し、隅々に隈なくいきわたらせる第一の工程、塗布された洗浄剤を除去し、クリーニングする第二の工程及び除去した放射性物質と洗浄剤との混合物を放射性廃棄物として処理する第三の工程、を順次実施する。これにより、周辺に放射性物質を飛散させることなく、かつ手間をかけず安価に建築物等を除染することができる。【選択図】なし【特許請求の範囲】
【請求項１】
建築物、土壌又は植物の表面に洗浄剤を周囲に飛散させずに吹き付け塗布し、隅々に隈なくいきわたらせる第一の工程、
放射性物質と前記洗浄剤との混合物を除去し、クリーニングする第二の工程及び
除去した放射性物質と洗浄剤との混合物を放射性廃棄物として回収処理する第三の工程、
とから成ることを特徴とする放射性物質に汚染された建築物、土壌又は植物を除染する方法。
【請求項２】
前記洗浄剤が泡沫化した洗浄剤であることを特徴とする請求項１に記載の建築物、土壌又は植物を除染する方法。
【請求項３】
前記第一の工程が、エアレス吹付け機を用いて０．５ＭＰａ以下の吐出圧力で前記洗浄剤を噴霧して行われることを特徴とする請求項１記載の放射性物質に汚染された建築物、土壌又は植物を除染する方法。
【請求項４】
前記第二の工程のクリーニングが、前記洗浄剤と前記洗浄剤に捕捉された放射性物質を耐水性掃除機を用いて吸引除去し、水洗・ブラシがけ又は／及び拭き取りを行うことを特徴とする請求項１又は請求項２に記載の放射性物質に汚染された建築物、土壌又は植物を除染する方法。
【請求項５】
前記第三の工程が、廃水及び前記洗浄水を、クリーニングに用いた吸水性物質と共に放射性廃棄物用容器又は袋に収納密封することを特徴とする請求項１又は請求項２に記載の放射性物質に汚染された建築物、土壌又は植物を除染する方法。
【請求項６】
前記耐水性掃除機が廃水容器を備えた吸水型掃除機であることを特徴とする請求項４記載の放射性物質に汚染された建築物、土壌又は植物を除染する方法。
【請求項７】
前記吸水型掃除機が貯留枡を備えており、吸引された廃水が掃除機内部に入る前に廃水は前記貯留枡にいったん留まるようにされており、前記貯留枡には蓋が設けてあり、前記蓋は閉じた際に吸引を妨げないよう貯留枡を密閉するようにされていることを特徴とする請求項４に記載の放射性物質に汚染された建築物、土壌又は植物を除染する方法。
【請求項８】
前記吸水掃除機が、前記給水掃除機のモータが廃水容器内の泡と接触しない構造を備えることを特徴とする請求項６記載の建築物、土壌又は植物を除染する方法。
【請求項９】
前記吸水掃除機の廃水容器に予め消泡剤又は消泡剤溶液が投入されることを特徴とする請求項６記載の建築物、土壌又は植物を除染する方法。
【請求項１０】
前記洗浄剤が、界面活性剤を主成分とする水溶液であることを特徴とする請求項１又は請求項２記載の放射性物質に汚染された建築物、土壌又は植物を除染する方法。
【請求項１１】
前記洗浄剤が、酸を含有することを特徴とする請求項１又は請求項２記載の放射性物質に汚染された建築物又は土壌を除染する方法。
【請求項１２】
前記洗浄剤が、酸を含有しないことを特徴とする請求項１又は請求項２記載の放射性物質に汚染された植物を除染する方法。
【請求項１３】
前記洗浄剤が多孔性物質微粉末を含むことを特徴とする請求項１０記載の放射性物質に汚染された建築物、土壌又は植物を除染する方法。
【請求項１４】
前記第一の工程が、前記洗浄剤を泡沫発生装置を用いて泡沫化せしめながら吹き付けることを特徴とする請求項２記載の放射性物質に汚染された建築物、土壌又は植物を除染する方法。
【請求項１５】
前記泡沫発生装置は、エアコンプレッサーの空気を前記泡沫発生装置の洗浄剤容器内に導入し、その圧力でノズルから泡沫化洗浄剤を噴射することを特徴とする請求項１４記載の建築物、土壌又は植物を除染する方法。
【発明の詳細な説明】
【技術分野】
【０００１】
本発明は、放射性物質に汚染された建築物、土壌、又は樹木や草花等の植物から放射性物質を周辺に飛散させることなく除去する方法に関する。
【背景技術】
【０００２】
2011年3月11日の東日本大震災で破壊された福島第一原子力発電所原子炉の水素爆発や火災等の事故により、放射性物質が飛散し周辺の広範な地域が放射性物質に汚染された。その後半年以上経った現在、除染作業がクローズアップされており、その除染方法としてウォータージェットによる除染作業が行われている。しかし、ウォータージェットによる洗浄はその建物・施設は除染されても、放射性物質を隣家、大気中、周辺地域、あるいは側溝ひいては下水処理場へとさらに広範囲に拡散させる恐れがある。
【０００３】
しかしながら、我が国においては、これまで原子力発電所の事故により放射性物質が発電所の施設外に飛散した経験がないため、建築物等に付着・堆積した放射性物質を周囲に飛散させることなく安全に除去する方法が提示されていないのが現状である。
【発明の概要】
【発明が解決しようとする課題】
【０００４】
本発明は、上に述べた状況において、建物、施設、工作物等の建築物等に付着・堆積した放射性物質を、周囲に飛散させることなく安全に除去する方法を提供することを目的とするものである。
【０００５】
ウォータージェットにより除染する場合でも、建築物等の周りを養生シート等で覆い、前記建築物等を周囲から完全に隔離して実施すれば、放射性物質を近隣に飛散させる恐れは格段に小さくなる。しかし、これを実施するには莫大な費用と手間がかかり現実的ではない。本発明のもう一つの目的は、建築物等を隔離養生することなく、安価で手間のかからない建築物等の除染方法を提供することにある。
【課題を解決するための手段】
【０００６】
本発明は上記目的を達成するために、放射性物質に汚染された建築物の除染を行う際に、該建築物の表面に洗浄剤を周囲に飛散させずに吹き付け塗布し、隅々に隈なくいきわたらせる第一の工程、塗布された洗浄剤を除去し、クリーニングする第二の工程及び除去した放射性物質と洗浄剤との混合物を放射性廃棄物として処理する第三の工程、を順次実施するものである。
【０００７】
第一の工程は、放射性物質を周囲に飛散させる恐れのある最も危険な工程である。この工程において放射性物質を周囲に飛散させないためには、エアレス吹付け機を用いるのが好ましい。さらに、その吐出圧力は０．５ＭＰａ以下、好ましくは０．３ＭＰａ以下で洗浄剤を噴霧するのが好適である。吐出圧力が０．３ＭＰａを超えると洗浄剤が周囲に飛び散る傾向が現れ、０．５ＭＰａを超えるとその傾向が顕著になる。
【０００８】
洗浄剤の塗布量については、廃棄物の量を最少にするため、また洗浄剤のたれ落ちを防止するためにはできるだけ少ない方がよいが、少なすぎれば除染の効果がなくなる。目安としては０．１〜２ｋｇ／ｍ２が好ましいが、最適な塗布量は対象となる建築物表面の材質、表面状態等によって異なるので、本発明はこの数値に限定されるものではない。
【０００９】
洗浄剤塗布後、エアー吹き、はけ塗り、洗浄剤の追加噴霧等を適宜行うことにより、建築物の凹凸部、隅角部、開口部廻り、桟・横桁の上、軒天廻り等建築物の隅々にまで隈なく洗浄剤をいきわたらせる。
【００１０】
第二の工程は、これが適切であるかどうかにより、除染作業の能率、周辺への放射性物質の飛散の有無、除染の結果が左右される点で非常に重要な工程である。本発明においては、建築物に塗布された洗浄剤と洗浄剤に捕捉された放射性物質を、耐水性掃除機を用いて吸引除去する。耐水性掃除機は、乾いたごみも湿ったゴミも水も１台で吸引するタイプの掃除機であり、また水で洗浄しながら廃水を吸引しそれを循環使用するタイプの水循環式掃除機も含まれる。
【００１１】
これらの耐水性掃除機の中では、廃水容器を備えた吸水型掃除機が建築物の除染作業には最も適している。本発明においては、吸引する洗浄剤が界面活性剤を含んでおり、廃水容器内で泡立ちやすく、この泡が掃除機上部のモーターに接触すると漏電の原因になるため、泡が発生しても上部のモーターに接触できない構造の吸水掃除機、例えばサイクロン方式の吸水掃除機であればさらに好適である。また、廃水容器の底に予め消泡剤又は消泡剤溶液を張っておくことは、泡の発生を防ぐのに有効である。これにより、放射性物質を周囲に飛散させることなく、しかも能率よく行うことができる。
【００１２】
さらに、吸水掃除機内の泡を最小限にするために、吸引口から吸水掃除機に至る途中に、貯留枡を設けるのが好ましい。この貯留枡には、溜まった廃水を取り除くために蓋が設けてある。当該蓋は、閉じた際に吸引を妨げないよう貯留枡と密閉される構造になっている。
【００１３】
第二の工程は、必要に応じて、水洗、ブラシがけ、拭き取り等によるクリーニング作業を行い、放射性物質に汚染された建築物を完全に除染する。
【００１４】
第三の工程は、最終段階の重要な工程であり、これがきちんとできなければこれまでの工程がすべて無駄になり、放射性物質を周辺に飛散させてしまう。拭き取りや清掃作業に使った紙、布、綿等は放射性廃棄物用容器又は袋に収納し密封する。また、掃除機の廃水容器に溜まった汚泥水、使用した装置、機器等を洗浄した廃水は放射性廃棄物用容器に収納密封する。そして放射性廃棄物用容器又は袋は所定の場所に保管する。使用した洗浄水や、給水掃除機の廃水タンクにたまった廃液をポリタンクに回収し、石灰、ゼオライト又は活性炭等を投入して、放射性物質を吸着させ沈殿させることができれば、沈殿物のみを放射性廃棄物とすることも可能である。
【００１５】
洗浄剤は放射性物質を捕捉するのに有効な成分を含有し、環境に対しても人体に対しても無害な液体でなければならない。本発明においては、洗浄剤は界面活性剤を主成分とする水溶液である。
【００１６】
界面活性剤としては、脂肪酸塩、アルキル硫酸塩、アルキルベンゼンスルホン酸塩等のアニオン界面活性剤、第四級アンモニウム塩系のカチオン界面活性剤、脂肪酸系、高級アルコール系、アルキルフェノール系等のノ二オン界面活性剤、アミノ酸系、ベタイン系、アミンオキシド系等の両性界面活性剤のいずれも使用可能である。
【００１７】
界面活性剤の濃度は資源の節減という観点からすれば低いほど好ましく、概ね１重量％以下、できれば０．５重量％以下が好ましい。
【００１８】
上述のように、洗浄剤は界面活性剤を主成分とする水溶液であるが、本発明はそれに限定されるものではない。
【００１９】
原子力発電所によって飛散される放射性物質としては、圧力容器や格納容器の破損がない限り、ヨウ素１３１、セシウム１３７、キセノン１３３、クリプトン８８等である。これらの放射性物質の半減期は、ヨウ素１３１が８日、キセノン１３３が５．３日、クリプトン８８が２．８時間であるのに対し、セシウム１３７は３０年と圧倒的に長いため、主に除染の対象となるのはセシウム１３７と考えられる。セシウムは１族の元素でありアルカリ金属の仲間である。従って、洗浄剤に希塩酸、希硫酸、クエン酸、シュウ酸、酒石酸、等の酸を加えることは、酸がアルカリと反応し除染をより効果的にする合理的な根拠があるため、これらの酸を含有させてもよい。また、クエン酸ナトリウム、酒石酸ナトリウム、リン酸ナトリウム、炭酸アンモニウム、クエン酸アンモニウム、ＥＤＴＡ等の塩もしくはキレート剤が有効な場合があり、これらを含有させることもできる。
【００２０】
また、多孔性物質微粉末は粉塵を吸着させる作用があるため、洗浄剤に多孔性物質微粉末を含有させてもよい。多孔性物質にはゼオライト、珪藻土、活性炭等があり、これらはすべて使用可能である。
【００２１】
多孔性物質微粉末を含有させる場合には、沈降分離を防ぐために水溶性増粘剤を添加してもよい。水溶性増粘剤にはでんぷん等の多糖類、ポリビニルアルコール、メチルセルローズ、ポリアクリル酸ソーダ、等があり、すべて使用可能である。
【００２２】
本発明の目的を達成するための好ましい方法は、放射性物質に汚染された建築物の除染を行う際に、該建築物の表面に泡沫化せしめた洗浄剤を塗布し、隅々に隈なくいきわたらせる第一の工程、塗布された洗浄剤を除去し、クリーニングする第二の工程及び除去した放射性物質と洗浄剤との混合物を放射性廃棄物として処理する第三の工程、を順次実施するものである。これにより本発明の目的はより効果的に実現することができる。
【００２３】
好ましい第一の工程は、洗浄剤を泡沫発生装置を用いて泡沫化せしめながら吹き付けるものである。
【００２４】
泡沫発生装置としては、エアコンプレッサーの空気を泡沫発生装置の洗浄剤容器内に導入し、その圧力でノズルから泡沫化洗浄剤を噴射する圧力タンク式の泡沫発生装置、エアコンプレッサーの空気をエア駆動ポンプに送り込み、ポンプの駆動力によりノズルから泡沫化洗浄剤を噴射するエア駆動ポンプ式の泡沫発生装置があるが、いずれのタイプでも使用可能である。しかし、エア駆動ポンプの場合、脈動し、泡沫状態が不安定になりやすいので、本発明をよりよい形で実施するためには、圧力タンク式の泡沫発生装置が好ましい。泡沫化せしめた洗浄剤は、建築物の表面に吹き付けられたとき、衝突のエネルギーを吸収するため飛び散ることが少ない。しかも、泡沫化せしめた洗浄剤は微細な粉塵を捕捉する作用が大きいため、放射性物質を捕捉除去するには好適な洗浄剤である。
【００２５】
泡沫化せしめた洗浄剤の塗布後、エアー吹き、はけ塗り、洗浄剤の追加噴霧さらに消泡剤噴霧等を適宜行うことにより、建築物の凹凸部、隅角部、開口部廻り、桟・横桁の上、軒天廻り等建築物の隅々にまで隈なく洗浄剤をいきわたらせかつ消泡せしめる。中でも、エアコンプレッサーからエアホースを使って行うエア吹きは、塗布された泡沫化洗浄剤を簡単に建築物の細部まで行きわたらせることができるという点で極めて有効な方法である。
【００２６】
泡沫化せしめるための洗浄剤は、上記界面活性剤を主成分とする水溶液であってもよいし、上記水溶液に起泡剤を加えたものであってもよい。
【００２７】
起泡剤としては、洗剤等の界面活性剤、パイン油、ユーカリ油等の油類の水性エマルジョン、卵白、ゼラチン等があり、すべて使用可能である。
【００２８】
泡沫化せしめた洗浄剤の塗布量については、廃棄物の量を最少にするために、また洗浄剤のたれ落ちを防止するためにはできるだけ少ない方がよいが、少なすぎれば除染の効果がなくなる。目安としては０．０５〜１ｋｇ／ｍ２が好ましいが、最適な塗布量は対象となる建築物表面の材質、表面状態等によって異なるので、本発明はこの数値に限定されるものではない。
【００２９】
消泡剤としては、脂肪酸系、高級アルコール系、アルキルフェノール系等のノ二オン界面活性剤、エチルアルコール等の親水性有機溶媒、シリコーンオイルまたはその水性エマルジョン、シリコーン樹脂微粉末等があり、すべて使用可能である。
【００３０】
土壌の除染を行う場合の詳細は下記のとおりである。放射性セシウムは、土壌の表面近傍に濃縮して固着している可能性が高い。また、空間線量率という数値で表わされる放射線量には、土壌表面近傍に存在する放射性セシウムによる影響が強い。従って、表面のごく薄い層の土壌を除去すれば、空間線量率は半分以下に下がる。本発明の好ましい第一の工程である洗浄剤を泡沫発生装置を用いて泡沫化せしめながら吹き付け、土壌表面に隈なくいきわたらせること、そして、好ましい第二の工程である吸水掃除機を使って泡沫化洗浄剤といっしょに表面のごく薄い層の土壌も吸引除去する。このように、本発明の方法により、簡便にかつ効果的に地面すなわち土壌の除染を行うことができる。しかも周囲に放射性物質を飛散させない。
【００３１】
さらに、樹木や草花等の植物の除染を行う場合の詳細は下記のとおりである。樹木や草花等の植物の場合、放射性セシウムは、枝葉もさることながら、その根元に濃縮して沈着している。従って、その根元の草や土壌を集中的に除染すれば、除染の効果は飛躍的に増大する。発明に使用する洗浄剤は、先に述べたように、界面活性剤を主成分とする水溶液である。この洗浄剤を使い、本発明の方法を実施すれば、植物の除染も行うことができる。すなわち、本発明の好ましい第一の工程である洗浄剤を泡沫発生装置を用いて泡沫化せしめながら植物本体及びその根元に吹き付ける。そして、好ましい第二の工程である、吸水掃除機を使って泡沫化洗浄剤といっしょに植物の根元の土壌を吸引除去する際に、植物本体及びその根元に噴霧器で水を噴霧することにより、植物に害を与えることなく、簡便かつ効果的に除染することができる。しかも周囲に放射性物質を飛散させない。
【００３２】
上述したように、放射性物質に汚染された建築物等に洗浄剤を周囲に飛散させずに吹き付け塗布し、隅々に隈なくいきわたらせる第一の工程、塗布された洗浄剤を除去し、クリーニングする第二の工程及び除去した放射性物質と洗浄剤との混合物を放射性廃棄物として処理する第三の工程、を順次実施することにより、建物、施設、工作物等の建築物に付着・堆積した放射性物質を、周囲に飛散させることなく安全に、かつ安価で手間をかけずに行うという本発明の目的を達成することが可能になる。
【００３３】
また、放射性物質を除染する好ましい方法として、放射性物質に汚染された建築物、植物又は土壌の表面に泡沫化せしめた洗浄剤を塗布し、隅々に隈なくいきわたらせる第一の工程、塗布された洗浄剤を除去し、クリーニングする第二の工程及び除去した放射性物質と洗浄剤との混合物を放射性廃棄物として処理する第三の工程、を順次実施することにより、建物、施設、工作物等の建築物等に付着・堆積した放射性物質を、周囲に飛散させることなく安全に、かつ安価で手間をかけずに行うという本発明の目的をより効果的に達成することが可能になる。
【図面の簡単な説明】
【００３４】
【図１】本発明に係る方法による除染処理前後の放射線測定結果を示す。
【図２】本発明に係る方法による除染処理前後の放射線測定結果を示す。
【発明を実施するための形態】
【００３５】
以下、建築物の除染に関し本発明の実施の形態を説明する。但し、本発明は放射性物質に関するものであり、本発明の効果を実証する実験を行うことは極めて困難を極めたが、幸いにも本発明の目的を理解し協力してくれる人が現れ実現できたものである。
【００３６】
実験は、福島第一原発から１００ｋｍほど離れており、放射性物質による汚染が比較的軽微な栃木県那須郡那須町にある２棟の農業用物置を借りて実施した。２棟の物置は１ｋｍほど離れており、それらを仮にＡ棟、Ｂ棟と名付けると、Ａ棟もＢ棟もスチール製の組立式プレハブ物置で周辺に建物はなく畑の中に孤立した状態で建っている。Ａ棟は間口２．７ｍ、奥行１．８ｍ、高さ１．８ｍ、表面積約２６ｍ２であり、Ｂ棟は間口３．６ｍ、奥行１．８ｍ、高さ１．８ｍ、表面積約３３ｍ２である。いずれの物置も地面にコンクリートブロックを置き、その上に据え置いただけの簡易な構造である。
【００３７】
事前に物置とその周辺から発生する放射線量を、空間放射線量測定器（FLUKEサーベイメーター451P）により、できるだけ地面からの影響を避けるために次の位置で測定した。建物部分については、屋根は屋根面から５０ｃｍの高さで２か所、壁は壁面から５０ｃｍ、地面から１．５ｍの位置で東西南北各１か所測定した。周辺については、建物から５ｍ離れた高さ５０ｃｍの位置で東西南北各１か所測定した。結果を図１及び図２に示す。
【００３８】
Ａ棟では本発明請求項１の方法で除染を行った。まず物置まわりの地面に幅約４ｍのブルーシートを敷き、その上に必要な資機材を置いた。電力は小型自家発電機によりＡＣ１００Ｖの電源を確保した。吹付け作業の前に、まず洗浄剤として、カチオン界面活性剤であるノニルトリメチルアンモニウム塩０．５重量％、ゼオライト微粉末３重量％、増粘剤であるポリビニルアルコール５重量％を含有する水溶液を準備した。精和産業製エアレス吹付け機「とばなーいTB-7」の容器に洗浄剤水溶液を入れ、吹付け機の吐出圧力調整を行った。吐出圧力０．１ＭＰａの場合、吐出量は２ｋｇ／分であった。塗布量は５００ｇ／ｍ２と設定し、目安としてＡ棟表面を累計で約７分吹付ければよいと計算した上で、屋根、軒天、壁と順次上から下へ吹付けた。吹付け終了後、小型ブロアーを吹いたり、はけ塗りを行い、洗浄剤が塗布されていない箇所には手動噴霧器により洗浄剤を追加噴霧し、洗浄剤を建物表面の隅々にまでいきわたらせた（第一の工程）。
【００３９】
次いで、日立産機システム製吸水掃除機（CV-980WF2）を用いて、屋根、軒天、壁と順次上から下へ洗浄剤と洗浄剤に捕捉された放射性物質の混合物を吸引除去した。この際、凹部や狭い部分にはそれに適した吸口を用いた。さらに、じょうろ等での水の噴霧、紙、布、綿等での拭き取り作業により、クリーニング及びポリッシュを行った（第二の工程）。
【００４０】
最後に、吸水掃除機の容器に溜まった汚泥水、使用した装置、機器等の洗浄水を、紙、布、綿、吸水ポリマー等の吸水性物質に吸収させ、拭き取りに使った紙、布、綿等といっしょに放射性廃棄物用容器に収納密封した。壁面から垂れ落ちてブルーシートに少し溜まった洗浄剤も紙、布、綿等できれいに拭き取り、放射性廃棄物用容器に収納密封した。密封した放射性廃棄物用容器の保管は、実験に立ち会ってくれた地元の人に委ねた（第三の工程）。
【００４１】
除染作業終了後、各場所における放射線量を測定した結果を図１に示す。我が国における自然放射線量はおよそ０．１１μＳｖ／ｈと言われているので、この値前後になれば除染は成功したということができる。建物部分については、屋根に比べて壁の放射線量が高いが、今回は地面の除染は行わなかったので、地面からの放射線の影響を受けたものと考えられる。屋根だけを見れば、処理前の０．４１μＳｖ／ｈから処理後の０．１４μＳｖ／ｈに低下しており、０．１１μＳｖ／ｈよりは若干高いが除染処理の効果は明らかである。周辺については、処理前後の放射線量は変らないか、心もち増えたかどうかという結果であるが、建物への洗浄剤吹付け時に若干の放射性物質の飛散があったのかもしれない。
【００４２】
Ｂ棟では本発明請求項１０の方法で除染を行った。まず物置まわりの地面に幅約４ｍのブルーシートを敷き、その上に必要な資機材を置いた。電力は小型自家発電機によりＡＣ１００Ｖの電源を確保した。吹付け作業の前に、まず洗浄剤として、カチオン界面活性剤であるノニルトリメチルアンモニウム塩０．５重量％の水溶液に、クエン酸１重量％、ゼラチン１重量％を加えてよく撹拌したものを準備した。また、消泡剤としてエチルアルコール２５重量％の水溶液を準備した。泡沫化せしめた洗浄剤吹付け機として、本実験では市販の洗車用空気式気泡発生器を使用した。この装置の吐出圧力は０．４ＭＰａ、吐出量は約２００ｇ／分であった。塗布量は２００ｇ／ｍ２と設定し、目安としてＢ棟表面を累計で約３３分吹付ければよいと計算した上で、屋根、軒天、壁と順次上から下へ吹付けた。吹付けが終った場所から順に、小型ブロアーを吹いたり、はけ塗りを行い、あるいは洗浄剤が塗布されていない箇所には泡沫化せしめた洗浄剤を追加噴霧したり、さらに手動噴霧器で消泡剤水溶液を吹付けて消泡せしめながら、洗浄剤を建物表面の隅々にまでいきわたらせた（第一の工程）。
【００４３】
次いで、日立産機システム製吸水掃除機（CV-980WF2）を用いて、屋根、軒天、壁と順次上から下へ、洗浄剤と洗浄剤に捕捉された放射性物質の混合物を吸引除去した。この際、凹部や狭い部分にはそれに適した吸口を用いた。また、吸水掃除機の廃水容器には時々消泡剤を吹付け、容器中の泡沫を消した。さらに、じょうろ等での水の噴霧、紙、布、綿等での拭き取り作業により、クリーニング及びポリッシュを行った（第二の工程）。
【００４４】
最後に、吸水掃除機の容器に溜まった汚泥水、使用した装置、機器等の洗浄水を、紙、布、綿、吸水ポリマー等の吸水性物質に吸収させ、拭き取りに使った紙、布、綿等といっしょに放射性廃棄物用容器に収納密封した。泡沫化せしめた洗浄剤の垂れ落ちは殆んどなかったが、地面に敷いたブルーシートの汚れを紙、布、綿等できれいに拭き取り、放射性廃棄物用容器に収納密封した。密封した放射性廃棄物用容器の保管は、実験に立ち会ってくれた地元の人に委ねた（第三の工程）。
【００４５】
除染作業終了後、各場所における放射線量を測定した結果を図２に示す。我が国における自然放射線量は０．１１μＳｖ／ｈと言われているので、この値前後になれば除染は成功したということができる。建物部分については、屋根に比べて壁の放射線量が高いが、今回は地面の除染は行わなかったので、地面からの放射線の影響を受けたものと考えられる。屋根だけを見れば、処理前の０．４８μＳｖ／ｈから処理後は自然放射線量と同じ０．１１μＳｖ／ｈにまで低下しているので、狙い通り完全に除染することができた。周辺については、処理前後の放射線量は全く変らないが、これは、建物への洗浄剤吹付け時に放射性物質が周辺に飛散しなかったことを意味するものと考えられる。また上にも述べたように、泡沫化せしめた洗浄剤の垂れ落ちが殆んどなかったことは注目すべき利点である。
【００４６】
次に本発明による放射性物質の除染方法を地面に適用した場合について具体的に説明する。
【００４７】
地面に対する除染の方法は、基本的には上記に述べた建築物の場合の方法と同様であるが、下記の点に留意して除染を行う。
１）地面の汚染土壌が軟らかい場合は、地面に泡沫化洗浄剤を吹付けた後この洗浄剤を表土と一緒に吸引除去する。この方法により、人力による表土削り取りの作業を省略し、作業効率を向上することができる。
２）一方、地面の汚染土壌が硬い場合等、上記方法では除染が不充分な場合は、表土の削り取り、放射能汚染されていない土による汚染土壌の被覆、放射能汚染された上層の土壌と汚染されていない下層の土壌との入れ替え等の処理のいずれか、あるいはこれらの処理を組み合わせて行う。
【００４８】
次に本発明による放射性物質の除染方法を樹木や草花等の植物に適用した場合について具体的に説明する。
【００４９】
樹木や草花等の植物に対する除染の方法は、基本的には上記に述べた建築物の場合の方法と同様であるが、下記の点に留意して除染を行う。
１）樹木、草花等の植物は酸に弱いので植物に対しては酸性の洗浄剤を使用できない。この為、植物に対しては酸を含まない洗浄剤を用いる。
２）植物において放射線量は水の溜まりやすい窪地で高くなる傾向にあり、この為上部の枝葉よりも根本の除染を優先して行う。
３）枝葉への洗浄剤の吹付けは雨に濡れやすい表面よりも雨に濡れにくい枝葉内部への吹付を優先的に行う。
４）植物の場合の洗浄剤の吹付量に関しては建築物の壁面などの平面の場合と異なり、三次元的に凹凸が激しいので、次の計算式を用いて算出する。
植物の場合の洗浄剤の適正吹付量＝α×仮想面積×β    ・・・（１）
ここで、αは壁面などの堅固な平面に対する洗浄剤の単位面積当たりの適正吹付量、仮想面積は植物の地面への投影面積、βは洗浄剤の吹付対象である植物の凹凸による実効面積の増加を考慮した割り増し係数であり、１．５を基準とするが必ずしもこの値に限定されない。
５）洗浄剤の植物への影響を少なくするため、酸を含まない洗浄剤を植物に吹付け後、植物の根元の汚泥水を吸水掃除機で吸引しながら、植物に対して十分に水の噴霧を行い植物本体及び根元から完全に洗浄剤を除去する。
【図１】
2014062735.tif 000002
【図２】
2014062735.tif 000003